(57)【要約】  エミッション電流を変化させた場合に、電子ビームの輝度の低下を防止することを目的とする。電子銃であって、熱電子を放出するカソード（１１１）と、前記熱電子を集束するウェネルト電極（１１２）と、前記カソード（１１１）の先端から前記熱電子を引き出す制御電極（１１３）と、前記熱電子を加速して、電子ビームとして粉体に照射するアノード（１１４）と、前記ウェネルト電極（１１２）に印加するバイアス電圧および前記制御電極（１１３）に印加する制御電極電圧の少なくともいずれか一方を変化させることにより、前記電子ビームの輝度がピークを形成する、前記バイアス電圧と前記制御電極電圧との組合せを決定する最適条件収集制御手段（１０５）と、を備えた。
2016110996.tif 000002
【特許請求の範囲】
【請求項１】
熱電子を放出するカソードと、  前記熱電子を集束するウェネルト電極と、  前記カソードの先端から前記熱電子を引き出す制御電極と、  前記熱電子を加速して、電子ビームとして粉体に照射するアノードと、  前記ウェネルト電極に印加するバイアス電圧および前記制御電極に印加する制御電極電圧の少なくともいずれか一方を変化させることにより、前記電子ビームの輝度がピークを形成する、前記バイアス電圧と前記制御電極電圧との組合せを決定する最適条件収集制御手段と、  を備えた電子銃。
【請求項２】
前記最適条件収集制御手段は、前記カソードと前記ウェネルト電極と前記制御電極と前記アノードとを備える電子銃のエミッション電流に基づいて、前記カソードの消耗具合を判定し、判定結果に基づいて、前記電子銃の前記バイアス電圧および前記制御電極電圧の微調整または再調整を実行することを特徴とする請求項１に記載の電子銃。
【請求項３】
前記最適条件収集制御手段は、電子銃がアイドリング状態にある場合に、前記カソードの消耗具合の判定を実行することを特徴とする請求項１または２に記載の電子銃。
【請求項４】
前記最適条件収集制御手段は、前記エミッション電流の減少量が、所定の閾値以上である場合には、前記再調整を実行し、前記所定の閾値未満である場合には、前記微調整を実行することを特徴とする請求項２または３に記載の電子銃。
【請求項５】
前記最適条件収集制御手段は、所望のエミッション電流を得るために、前記バイアス電圧を変更して、前記微調整を実行することを特徴とする請求項２乃至４のいずれか１項に記載の電子銃。
【請求項６】
前記最適条件収集制御手段は、所望のエミッション電流を得るために、前記バイアス電圧および前記制御電極電圧を変更して、前記再調整を実行することを特徴とする請求項２乃至４のいずれか１項に記載の電子銃。
【請求項７】
電子銃のエミッション電流に基づいて、カソードの消耗具合を判定する判定ステップと、  前記エミッション電流の減少量が所定の閾値以上である場合には、前記電子銃のバイアス電圧および制御電極電圧の再調整を実行する再調整ステップと、  前記エミッション電流の減少量が前記所定の閾値未満である場合には、前記電子銃の前記バイアス電圧および制御電極電圧の微調整を実行する微調整ステップと、  を含むことを特徴とする電子銃の制御方法。
【請求項８】
電子銃のエミッション電流に基づいて、カソードの消耗具合を判定する判定ステップと、  前記エミッション電流の減少量が所定の閾値以上である場合には、前記電子銃のバイアス電圧および制御電極電圧の再調整を実行する再調整ステップと、  前記エミッション電流の減少量が前記所定の閾値未満である場合には、前記電子銃の前記バイアス電圧および制御電極電圧の微調整を実行する微調整ステップと、  をコンピュータに実行させることを特徴とする電子銃の制御プログラム。
【請求項９】
請求項１に記載の電子銃を用いた３次元造形装置。
【発明の詳細な説明】
【技術分野】
【０００１】  本発明は、電子銃、電子銃の制御方法および制御プログラム並びに３次元造形装置に関する。
【背景技術】
【０００２】  上記技術分野において、特許文献１には、カソードとウェネルト電極とアノードとを備えた３電極構成の電子銃が開示されている。
【先行技術文献】
【特許文献】
【０００３】
【特許文献１】特開平１−２７４３４９号公報
【発明の概要】
【発明が解決しようとする課題】
【０００４】  しかしながら、上記文献に記載の電子銃では、エミッション電流を変化させた場合に、電子ビームの輝度の低下を防止することができなかった。【０００５】  本発明の目的は、上述の課題を解決する技術を提供することにある。
【課題を解決するための手段】
【０００６】  上記目的を達成するため、本発明に係る電子銃は、  熱電子を放出するカソードと、  前記熱電子を集束するウェネルト電極と、  前記カソードの先端から前記熱電子を引き出す制御電極と、  前記熱電子を加速して、電子ビームとして粉体に照射するアノードと、  前記ウェネルト電極に印加するバイアス電圧および前記制御電極に印加する制御電極電圧の少なくともいずれか一方を変化させることにより、前記電子ビームの輝度がピークを形成する、前記バイアス電圧と前記制御電極電圧との組合せを決定する最適条件収集制御手段と、  を備えた。【０００７】  上記目的を達成するため、本発明に係る電子銃の制御方法は、  電子銃のエミッション電流に基づいて、カソードの消耗具合を判定する判定ステップと、  前記エミッション電流の減少量が所定の閾値以上である場合には、前記電子銃のバイアス電圧および制御電極電圧の再調整を実行する再調整ステップと、  前記エミッション電流の減少量が前記所定の閾値未満である場合には、前記電子銃の前記バイアス電圧および制御電極電圧の微調整を実行する微調整ステップと、  を含むことを特徴とする。【０００８】  上記目的を達成するため、本発明に係る電子銃の制御プログラムは、  電子銃のエミッション電流に基づいて、カソードの消耗具合を判定する判定ステップと、  前記エミッション電流の減少量が所定の閾値以上である場合には、前記電子銃のバイアス電圧および制御電極電圧の再調整を実行する再調整ステップと、  前記エミッション電流の減少量が前記所定の閾値未満である場合には、前記電子銃の前記バイアス電圧および制御電極電圧の微調整を実行する微調整ステップと、  をコンピュータに実行させることを特徴とする。【０００９】  上記目的を達成するため、本発明に係る３次元造形装置は、  請求項１に記載の電子銃を用いた。
【発明の効果】
【００１０】  本発明によれば、エミッション電流を変化させた場合に、電子ビームの輝度の低下を防止することができる。
【図面の簡単な説明】
【００１１】
【図１】本発明の第１実施形態に係る電子銃の構成を示す図である。
【図２】本発明の第２実施形態の前提技術に係る３次元造形装置に用いられている電子銃の構成を示す図である。
【図３】本発明の第２実施形態に係る３次元造形装置の構成を示す図である。
【図４】本発明の第２実施形態に係る３次元造形装置の電子銃の構成を示す図である。
【図５】本発明の第２実施形態に係る３次元造形装置によるビームスキャンにより電流信号曲線を取得する様子を説明する図である。
【図６】本発明の第２実施形態に係る３次元造形装置の電子銃の電流密度とエミッション電流のバイアス電圧特性を示す図である。
【図７】本発明の第２実施形態に係る３次元造形装置の電子銃の電流密度とエミッション電流のバイアス電圧特性を示す他の図である。
【図８】本発明の第２実施形態に係る３次元造形装置の動作を説明するためのフローチャートである。
【図９】本発明の第２実施形態に係る３次元造形装置によるカソード消耗具合の判定の概要を説明するための図である。
【発明を実施するための形態】
【００１２】  以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１３】  ［第１実施形態］  本発明の第１実施形態としての電子銃１００について、図１を用いて説明する。電子銃１００は、電子ビームを供給する装置である。
【００１４】  図１に示すように、電子銃１００は、電子ビーム供給部１０１と最適条件収集制御部１０５とを備える。電子ビーム供給部１０１は、カソード１１１と、ウェネルト電極１１２と、制御電極１１３と、アノード１１４とを備える。カソード１１１は、熱電子を放出する。ウェネルト電極１１２は、熱電子を集束する。
【００１５】  制御電極１１３は、カソード１１１の先端の電界強度を制御して、カソードの先端から熱電子を引き出す。アノード１１４は、熱電子を加速して、電子ビーム１２０として粉体に照射する。
【００１６】  最適条件収集制御部１０５は、ウェネルト電極１１２に印加するバイアス電圧および制御電極１１３に印加する制御電極電圧の少なくともいずれか一方を変化させることにより、電子ビーム１２０の輝度がピークを形成する、バイアス電圧と制御電極電圧との組合せを決定する。
【００１７】  本実施形態によれば、エミッション電流が変化した場合に、電子ビームの輝度の低下を防止することができる。また、電子ビームの輝度の低下を防止するために、電子ビームの輝度がピークを形成するバイアス電圧と制御電圧との組合せを決定することができる。
【００１８】  ［第２実施形態］  次に本発明の第２実施形態に係る３次元造形装置について、図２〜図９を用いて説明する。
【００１９】  （前提技術について）  図２は、本実施形態の前提技術に係る３次元造形装置に用いられている電子銃２０１の構成を説明するための図である。電子銃２０１は、カソード２１１とウェネルト電極２１２とアノード２１４とを備えている。電子銃２０１は、３電極型の電子銃である。電子銃２０１は、容易に大電流を得ることができるので、例えば、電子顕微鏡や電子ビーム描画装置、電子ビーム分析装置、電子ビーム加工装置（溶接や表面改質、積層造形等）といった幅広い装置などに使用されている。
【００２０】  例えば、電子ビーム加工装置には一般的に様々な加工モードが設けられており、使用している加工モードや使用状況などに応じて電子ビーム２２０の径や電子ビーム２２０のビーム電流を迅速に変更させる必要がある。さらに、このような電子ビーム加工装置の電子ビームは、高加速電圧（数１０ｋＶ以上）、大電流（１０ｍＡ以上）であるので、装置内部の構造物に電子ビーム２２０が照射されると、その構造物が損傷する恐れがある。
【００２１】  また、これらの装置では、試料上（粉体上）のビーム電流を制御するための電流制御絞りを電子光学鏡筒に配置することができないので、カソード２１１（電子銃２０１）から放出された電子ビーム２２０は全て試料上に到達することになる。すなわち、試料上のビーム電流とエミッション電流とは同じ値となる。この場合、ビーム電流を変更するには、電子銃２０１のエミッション電流そのものを変更させなくてはならない。
【００２２】  電子銃２０１でエミッション電流を迅速に変更させるためには、バイアス電圧（ウェネルト電極２１２の印加電圧）を変更する方法が考えられるが、この方法では、バイアス電圧の変化にともない、電子ビーム２２０の輝度も変化する。
【００２３】  輝度は、試料上に形成される電子ビーム２２０のビーム径の大きさと関連がある。つまり、電子ビーム２２０の輝度が低下すると、電子ビーム２２０のビーム径が大きくなる。電子銃２０１のように、エミッション電流の変化とともに電子ビーム２２０の輝度も同時に変化してしまうと、あるエミッション電流では輝度が小さくなり、所望のビーム径が得られないという問題があった。
【００２４】  （本実施形態の３次元造形装置について）  図３は、本実施形態に係る３次元造形装置３００の構成を説明する図である。図４は、本実施形態に係る電子銃３０１の構成を説明する図である。図５は、本実施形態に係る３次元造形装置３００によるビームスキャンにより取得した電流信号曲線を説明する図である。３次元造形装置３００は、鏡筒３６０と真空チャンバ３２０と高圧電源３３０とコンピュータ３４０と電子光学系制御部３５０とを備える。
【００２５】  鏡筒３６０は、電子銃３０１とレンズ３０５と偏向器３０６とを備える。電子銃３０１は、カソード３１１とウェネルト電極３１２と制御電極３１３とアノード３１４とを備えている。つまり、電子銃３０１は、４電極で構成される、４電極型の電子銃である。真空チャンバ３２０は、ファラデーカップ３２２と冷却管３２３と電流計３２４とを備える。ファラデーカップ３２２を使用して、電子ビーム３７０のビーム電流とビーム径とを測定する。ファラデーカップ３２２には、電子ビーム３７０の照射による温度上昇を抑制するために冷却管３２３が設けられている。
【００２６】  電流計３２４は、電子ビーム３７０のビーム電流３２５を計測する。高圧電源３３０は、カソード加熱電源３３２とバイアス電源３３４と制御電極電源３３５と電源制御部３３６と電流計３３７と加速電源３３８とを備える。電流計３３７は、ロード電流３３３を計測する。コンピュータ３４０は、最適条件収集制御部３４１と近似計算演算部３４２とを備える。電子光学系制御部３５０は、レンズ３０５と偏向器３０６とを含む電子光学系を制御する。
【００２７】  電子銃３０１は、カソード３１１、ウェネルト電極３１２、制御電極３１３およびアノード３１４の４つの電極から構成される熱電子放出型電子銃である。電子銃３０１は、高圧電源３３０に設けられたカソード加熱電源３３２、バイアス電源３３４、制御電極電源３３５および加速電源３３８によって動作する。電子銃３０１から放出された電子ビーム３７０は、レンズ３０５と偏向器３０６とによって制御され、所定の位置にある粉体上に焦点を結ぶ。
【００２８】  ３次元造形装置３００は、電子ビーム３７０の輝度がピークを形成するバイアス電圧と制御電極電圧との最適な組合せ条件を決定して、電子銃３０１の調整を行なう。バイアス電圧と制御電極電圧との最適組合せ条件を決定するためには、ビーム電流とビーム径とを測定する必要がある。そこで、図３に示したように、真空チャンバ３２０に設けられたナイフエッジ付きのファラデーカップ３２２を使用する。ファラデーカップ３２２には、ビーム照射による温度上昇を抑制するために、冷却管３２３が設けられている。電子銃３０１から照射される電子ビーム３７０をナイフエッジの境界にビームスキャンすることにより、図５に示したような、電流信号曲線が測定される。なお、ここでは、ファラデーカップを用いてビーム電流を測定したが、ビーム電流の測定に用いる機器はこれに限定されない。
【００２９】  さらに、近似計算演算部３４２は、取得した電流信号曲線にカーブフィッティングと微分計算処理を施して、電子ビーム３７０のビーム径を算出する。試料面上（粉体上）に到達する電子ビーム３７０のビーム電流については、ファラデーカップ３２２の測定値から求めてもよいが、これに限定されない。電子ビーム３７０のビーム電流は、カソード３１１（電子銃３０１）から放出されるエミッション電流と同じ値となるので、高圧電源３３０に流れるロード電流３３３を電流計３３７で測定して求めることもできる。
【００３０】  上述の一連の動作は、コンピュータ３４０に含まれる最適条件収集制御部３４１によって自動的に行なわれる。最適条件収集制御部３４１は、電源制御部３３６に指令を送り、バイアス電圧と制御電極電圧とをマトリクス状に変化させる。この時、最適条件収集制御部３４１は、上述した手法により電子ビーム３７０のビーム径とビーム電流とを測定し、各条件における電流密度を算出し、特定のエミッション電流を得るためのバイアス電圧と制御電極電圧との最適な組合せ条件を記録する。最適条件収集制御部３４１は、電子光学系制御部３５０にも指令を送り、ナイフエッジ上の電子ビーム３７０のビームスキャンや、電子ビーム３７０のフォーカスやデフォーカスなどを適宜行なう。
【００３１】  ここで、３次元造形装置３００に使用される４電極構成の電子銃３０１を例に取り、バイアス電圧と制御電極電圧との最適組合せ条件の決定方法について説明する。図６は、本実施形態に係る電子銃３０１の電流密度とエミッション電流のバイアス電圧特性を示す図である。図７は、本実施形態に係る電子銃３０１の電流密度とエミッション電流のバイアス電圧特性を示す他の図である。
【００３２】  制御電極電圧をＶc1に固定し、バイアス電圧を変化させながら電子ビーム３７０のビーム径とビーム電流とを測定して、電子ビーム３７０の電流密度を算出する。これにより、図６に示したような、電流密度とエミッション電流とのバイアス電圧特性が得られる。同図に示したように、電流密度が最大となるバイアス電圧Ｖb1が存在し、この場合のエミッション電流はＩ1となる。
【００３３】  電流密度が最も大きくなる条件と、輝度が最も大きくなる（ピークを形成する）条件とはほぼ同じであるので、この場合、バイアス電圧と制御電極電圧との組合せ（Ｖb1，Ｖc1）が、エミッション電流Ｉ1を得るための最適な組合せ条件となる。
【００３４】  この一連の操作を制御電極電圧をＶc2、Ｖc3、Ｖc4、・・・と徐々に大きくしながら実施する。これにより、図７に示したような、電流密度とエミッション電流とのバイアス電圧特性が複数得られ、特定のエミッション電流に対するバイアス電圧と制御電極電圧との最適組合せ条件が得られる。これに対して、３電極構成の電子銃では、加速電圧が一定なので、電流密度とエミッション電流とのバイアス電圧特性が１つしか得られない。つまり、３電極構成の電子銃では、大きなエミッション電流が必要な場合には、電子ビームの輝度を低下させなければならず（輝度を犠牲にしていたので）、ビーム径が広がってしまい、精度の高い造形をすることはできなかった。
【００３５】  ４電極構成の電子銃は、エミッション電流を変えても輝度がほとんど劣化（低下）しないという特性を有するため、エミッション電流を変化させながら使用することを前提としている３次元造形装置などの電子ビーム加工装置に用いるのに適している電子銃である。つまり、エミッション電流を変化させても、それに対応して輝度の高い電子ビームを使うことができ、電子ビームを絞ってビーム径を小さくすることができるので、精度の高い造形（加工）をすることができる。
【００３６】  ただし、最適な組合せ条件を得るためには、バイアス電圧および制御電極電圧の２つのパラメータをマトリクス状に変化させながら電流密度とエミッション電流とを取得しなければならない。そのため、手動でのデータ収集には多大な時間を要する。しかも、カソード消耗に伴い最適な組合せ条件が変化するので、カソードの消耗がある程度進むと、その都度最適な組合せ条件を記録し直さなくてはならない。
【００３７】  図８は、本実施形態に係る３次元造形装置３００の動作を説明するためのフローチャートである。図９は、本実施形態に係る３次元造形装置３００によるカソード消耗具合の判定の概要を説明するための図である。
【００３８】  ３次元造形装置３００は、このフローチャートに従って、カソード３１１の消耗具合の判定や、バイアス電圧および制御電極電圧の再調整や微調整を自動で行なう。
【００３９】  ３次元造形装置３００は、ステップＳ８０１において、電子銃３０１の自動調整を行ない、粉体を積層して造形物を製造するために適した電子ビーム３７０が得られるようにする。つまり、３次元造形装置３００は、エミッション電流と電流密度とを測定して、輝度が最も高くなる（ピークを形成する）バイアス電圧と制御電極電圧との組合せの条件（最適組合せ条件）を複数決定する。そして、電子銃３０１は、決定した最適組合せ条件の中から、造形物の造形の条件に最も適した組合せを適用して、造形物を製造する。これにより、常に最高輝度またはピーク輝度の電子ビーム３７０を使うことが可能となる。
【００４０】  ３次元造形装置３００は、ステップＳ８０３において、装置がアイドリング状態にあるか否かを判定する。すなわち、３次元造形装置３００は、装置が造形物を製造中であれば、動作を終了する。３次元造形装置３００は、装置がアイドリング状態、つまり、造形物を製造しないで装置が待機状態（ウェイト状態）にある場合、ステップＳ８０５において、カソード３１１の消耗具合の判定を行なう判定モードに移行する。
【００４１】  ３次元造形装置３００は、カソード３１１の消耗具合の判定モードに移行すると、ステップＳ８０７において、電子銃３０１の自動調整モードで導出した最適組合せ条件を用いて、再びエミッション電流と電流密度とを測定する。
【００４２】  ３次元造形装置３００は、ステップＳ８０９において、ステップＳ８０７において再測定したエミッション電流が、最後に電子銃３０１の調整で得たエミッション電流と比較して５％以上低下しているか否かを判断する。ここでは、最後（再測定の直前）に得たエミッション電流と比較をしているが、比較の対象はこれに限定されない。例えば、３次元造形装置３００を最初に起動した時のエミッション電流と比較をしてもよい。また、例えば、カソード３１１の消耗により、カソード３１１を交換した直後のエミッション電流などと比較してもよい。
【００４３】  そして、再測定したエミッション電流が、比較対象のエミッション電流と比較して５％以上低下していれば、３次元造形装置３００は、ステップＳ８１１において、電子銃３０１の再調整を行なう。また、エミッション電流が５％以上低下していなければ、３次元造形装置３００は、ステップＳ８１３において、電子銃３０１の微調整を行なう。
【００４４】  電子銃３０１の再調整を行なう場合、３次元造形装置３００は、ステップＳ８１５において、バイアス電圧と制御電極電圧とをマトリクス状に変化させ、最適組合せ条件を一から記録し直す。また、電子銃３０１の微調整を行なう場合、３次元造形装置３００は、ステップＳ８１７において、バイアス電圧のみを変え、所望するエミッション電流が得られるように、最適組合せ条件を記録し直す。
【００４５】  カソード３１１の消耗具合の判定は、装置がアイドリング状態（ウェイト状態）にある場合に行なわれる。まず、バイアス電圧と制御電極電圧とを最適条件収集制御回路３４１に記録されている最適組合せ条件（Ｖb1，Ｖc1）、（Ｖb2，Ｖc2）、（Ｖb3，Ｖc3）、・・・に順番に変化させ、再度、エミッション電流と電流密度とを取得する。
【００４６】  カソード３１１の先端は、使用に伴い消耗するので、エミッション電流は電子銃３１１の調整を行なった時よりも小さくなる。また、カソード３１１が消耗すればカソード３１１の先端はウェネルト電極３１２から遠ざかるため、各々の制御電極電圧に対する最適なバイアス電圧条件は元の条件よりも低くなる。
【００４７】  例えば、バイアス電圧と制御電極電圧の最適組合せ条件（Ｖb1，Ｖc1）は、カソード３１１の消耗に伴い図９に示したような変化をする。同図の実線は、電子銃３０１の調整時にバイアス電圧と制御電極電圧とをマトリクス状に変化させた際に取得した測定結果である。また、同図の点は、カソード消耗具合判定で測定した結果を、破線は、カソード消耗具合判定で取得したデータから予測される結果を、それぞれ示している。なお、バイアス電圧と制御電極電圧とをマトリクス状に変化させると、データ取得に時間を要するので、カソード消耗具合判定では、最適組合せ条件（Ｖb1，Ｖc1）、・・・（Ｖb5，Ｖc5）でデータ取得を行なう。
【００４８】  カソード３１１の消耗具合判定で測定したエミッション電流が、最後に電子銃調整で得たエミッション電流と比較して５％未満の低下に収まっている場合には、電子銃３０１の「微調整」を実施する。電子銃３０１の微調整は、所望するエミッション電流を得る際に、制御電極電圧は変えずにバイアス電圧のみを変更する調整である。例えば、図９に示したように、電子銃調整時に最適組合せ条件（Ｖb1，Ｖc1）で所望するエミッション電流Ｉ1を得ていたのが、カソード３１１の消耗に伴いＩ1’しか得られなくなっている。
【００４９】  このとき、微調整では最適組合せ条件を（Ｖb1，Ｖc1）から（Ｖb1’，Ｖc1）に変更することで、エミッション電流の低下を補償している。同様に、他の最適組合せ条件（Ｖb2，Ｖc2）、（Ｖb3，Ｖc3）、・・・（Ｖb5，Ｖc5）においても、（Ｖb2’，Ｖc2）、（Ｖb3’，Ｖc3）、・・・（Ｖb5’，Ｖc5）とバイアス電圧のみを変更し、各条件で所望するエミッション電流が得られるようにする。
【００５０】  カソード３１１が消耗すると、図９（ｂ）に示すように、電子銃３０１の最適条件（電流密度、輝度がピークを示す（最も高くなる）条件）はバイアス電圧が小さくなる方向に変化する。この変化は、電子銃３０１の微調整でバイアス電圧を変化させる方向と同じである。すなわち、電子銃調整は、エミッション電流を補償するだけではなく、完全ではないものの電子銃設定を最適条件付近に近づける効果もある。
【００５１】  一方、カソード消耗具合判定で測定したエミッション電流が、最後に電子銃調整で得たエミッション電流と比較して５％以上低下していた場合には、電子銃３０１の「再調整」を実施する。電子銃３０１の再調整は、バイアス電圧と制御電極電圧との最適組合せ条件を初めから取得し直して、所望するエミッション電流を得る調整である。エミッション電流の減少が大きくなると、バイアス電圧の変更のみでは、エミッション電流を補償できても、電流密度の低下までは補償しきれなくなる。
【００５２】  これは、各条件で電子銃３０１の輝度が劣化（低下）していることと同じであり、ビーム径を小さく絞れなくなるので、３次元造形装置３００の加工精度も低下する。そこで、カソード消耗具合判定で５％以上のエミッション電流の低下がみられた場合、電子銃３０１の再調整を実施する。４電極構成の熱電子放出型電子銃は電子銃調整が煩雑であるが、上述した自動調整機構を備えることで、常に適切な設定で電子銃の運用が可能となる。
【００５３】  なお、ここでは、エミッション電流の低下「５％」を微調整と再調整との判断基準としたが、判断基準はこれに限定されない。微調整のみでは徐々に離れていく電子銃最適条件をどの段階で調整し直すが重要であり、判断基準の決定要因となる。ここで説明したように、エミッション電流の低下５％を判断基準とする場合、輝度が最適条件からそれほど逸脱しないうちに、電子銃３０１の再調整が実施される。
【００５４】  高い加工精度が要求される装置の場合、このように判断基準を５％に設定し、頻繁に再調整を行なうとよい。一方、高い加工精度が必要とされない装置ならば、輝度が適正値でなくても装置は問題なく運用できるので、エミッション電流低下１０％や２０％を判断基準として、ほとんどを微調整で済ませてもよい。
【００５５】  本実施形態によれば、エミッション電流が変化した場合に、電子ビームの輝度の低下を防止することができる。また、電子ビームの輝度の低下を防止するために、電子ビームの輝度を最高輝度（ピーク輝度）に保つバイアス電圧と制御電圧との組み合わせの最適条件を決定することができる。
【００５６】  なお、上述の説明では、３次元造形装置を用いて電子銃の説明をしたが、本実施形態に係る電子銃の用途はこれに限定されず、例えば、電子顕微鏡などに用いることもできる。
【００５７】  ［他の実施形態］  以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００５８】  また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。特に、少なくとも、上述した実施形態に含まれる処理ステップをコンピュータに実行させるプログラムを格納した非一時的コンピュータ可読媒体（non-transitory computer readable medium）は本発明の範疇に含まれる。
【図１】
2016110996.tif 000003
【図２】
2016110996.tif 000004
【図３】
2016110996.tif 000005
【図４】
2016110996.tif 000006
【図５】
2016110996.tif 000007
【図６】
2016110996.tif 000008
【図７】
2016110996.tif 000009
【図８】
2016110996.tif 000010
【図９】
2016110996.tif 000011
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
熱電子を放出するカソードと、
前記熱電子を集束するウェネルト電極と、
前記カソードの先端から前記熱電子を引き出す制御電極と、
前記熱電子を加速して、電子ビームとして粉体に照射するアノードと、
前記ウェネルト電極に印加するバイアス電圧および前記制御電極に印加する制御電極電圧の少なくともいずれか一方を変化させることにより、前記電子ビームの輝度がピークを形成する、前記バイアス電圧と前記制御電極電圧との組合せを決定する最適条件収集制御手段と、
を備えた電子銃。
【請求項２】
前記最適条件収集制御手段は、前記カソードと前記ウェネルト電極と前記制御電極と前記アノードとを備える電子銃のエミッション電流に基づいて、前記カソードの消耗具合を判定し、判定結果に基づいて、前記電子銃の前記バイアス電圧を変化させる微調整または前記バイアス電圧および前記制御電極電圧を変化させる再調整を実行して、前記組合せを決定することを特徴とする請求項１に記載の電子銃。
【請求項３】
前記最適条件収集制御手段は、電子銃がアイドリング状態にある場合に、前記カソードの消耗具合の判定を実行することを特徴とする請求項１または２に記載の電子銃。
【請求項４】
前記最適条件収集制御手段は、前記エミッション電流の減少量が、所定の閾値以上である場合には、前記再調整を実行し、前記所定の閾値未満である場合には、前記微調整を実行することを特徴とする請求項２または３に記載の電子銃。
【請求項５】
前記最適条件収集制御手段は、所望のエミッション電流を得るために、前記バイアス電圧を変更して、前記微調整を実行することを特徴とする請求項２乃至４のいずれか１項に記載の電子銃。
【請求項６】
前記最適条件収集制御手段は、所望のエミッション電流を得るために、前記バイアス電圧および前記制御電極電圧を変更して、前記再調整を実行することを特徴とする請求項２乃至４のいずれか１項に記載の電子銃。
【請求項７】
電子銃のエミッション電流に基づいて、カソードの消耗具合を判定する判定ステップと、
前記エミッション電流の減少量が所定の閾値以上である場合には、前記電子銃のバイアス電圧および制御電極電圧を変化させる再調整を実行する再調整ステップと、
前記エミッション電流の減少量が前記所定の閾値未満である場合には、前記電子銃の前記バイアス電圧を変化させる微調整を実行する微調整ステップと、
を含むことを特徴とする電子銃の制御方法。
【請求項８】
電子銃のエミッション電流に基づいて、カソードの消耗具合を判定する判定ステップと、
前記エミッション電流の減少量が所定の閾値以上である場合には、前記電子銃のバイアス電圧および制御電極電圧を変化させる再調整を実行する再調整ステップと、
前記エミッション電流の減少量が前記所定の閾値未満である場合には、前記電子銃の前記バイアス電圧を変化させる微調整を実行する微調整ステップと、
をコンピュータに実行させることを特徴とする電子銃の制御プログラム。
【請求項９】
請求項１に記載の電子銃を用いた３次元造形装置。
【手続補正２】
【補正対象書類名】明細書
【補正対象項目名】０００７
【補正方法】変更
【補正の内容】
【０００７】
上記目的を達成するため、本発明に係る電子銃の制御方法は、
電子銃のエミッション電流に基づいて、カソードの消耗具合を判定する判定ステップと、
前記エミッション電流の減少量が所定の閾値以上である場合には、前記電子銃のバイアス電圧および制御電極電圧を変化させる再調整を実行する再調整ステップと、
前記エミッション電流の減少量が前記所定の閾値未満である場合には、前記電子銃の前記バイアス電圧を変化させる微調整を実行する微調整ステップと、
を含むことを特徴とする。
【手続補正３】
【補正対象書類名】明細書
【補正対象項目名】０００８
【補正方法】変更
【補正の内容】
【０００８】
上記目的を達成するため、本発明に係る電子銃の制御プログラムは、
電子銃のエミッション電流に基づいて、カソードの消耗具合を判定する判定ステップと、
前記エミッション電流の減少量が所定の閾値以上である場合には、前記電子銃のバイアス電圧および制御電極電圧を変化させる再調整を実行する再調整ステップと、
前記エミッション電流の減少量が前記所定の閾値未満である場合には、前記電子銃の前記バイアス電圧を変化させる微調整を実行する微調整ステップと、
をコンピュータに実行させることを特徴とする。
【手続補正４】
【補正対象書類名】明細書
【補正対象項目名】０００９
【補正方法】変更
【補正の内容】
【０００９】
上記目的を達成するため、本発明に係る３次元造形装置は、
上記電子銃を用いた。
【国際調査報告】
2016110996.tif 000012
2016110996.tif 000013